(57)【要約】【課題】強度に優れた意匠性豊かな景観舗装を施工可能とし、また地球環境の保全や資源の有効利用という現代社会の要請にも応え得るペットボトルペレットを使用した景観舗装構造を提供する。【解決手段】ペットボトルペレットと蛍光骨材を組み合わせて成る骨材またはペットボトルペレット単独の骨材に、必要に応じて添加する顔料と透明な樹脂バインダーを混合して景観舗装材とするとともに、その景観舗装材を、路盤上に敷き均された舗装母体上に舗設するようにする。【選択図】　　図１
2004052513.tif 000002
【特許請求の範囲】
【請求項１】
ペットボトルペレットと蛍光骨材を組み合わせて成る骨材に、透明な樹脂バインダーを混合して景観舗装材とするとともに、その景観舖装材を、路盤上に敷き均された舗装母体上に舖設することを特徴とするペットボトルペレットを使用した景観舗装構造。
【請求項２】
上記した骨材が、ペットボトルペレットの単独であることを特徴とする請求項１に記載のペットボトルペレットを使用した景観舖装構造。
【請求項３】
上記したペットボトルペレットに顔料を添加したことを特徴とする請求項１または請求項２に記載のペットボトルペレットを使用した景観舗装構造。
【請求項４】
上記した蛍光骨材を蓄光骨材としたことを特徴とする請求項１に記載のペットボトルペレットを使用した景観舗装構造。
【発明の詳細な説明】
【０００１】
【発明の属する技術分野】
近年に到って、地球環境の保全や資源の有効利用を目的として、使用済みのペットボトルを様々な製品に再生するリサイクルシステムが構築されるようになってきたが、本発明もそうしたペットボトルリサイクルシステムの一環を担おうとするものである。すなわち本発明は、アスファルト舖装やコンクリート舖装またはその他の舖装体（本発明ではこれらを舗装母体と称する）の上面に施工する景観舗装に係るものであり、リサイクルしたペットボトルペレットを、骨材として使用するようにした景観舗装構造に関するものである。
【０００２】
【従来の技術】
従来、ペットボトルペレットを混入したアスファルト混合物を、路盤上に敷き均するようにした舗装方法などが、特開平１１−１３１４０８号公報や特開２００１−７２８７０号公報において開示されているが、ペットボトルペレットを使用して舖装母体上に景観舗装を施工する技術は、未だ提案されていない。また本出願人は、昼間の景観と夜間の景観を別異状に演出可能とした景観舖装構造を、特願２００２−１０９７９１号において提案しているが、この発明は、ガラス廃材を活用するものであって、リサイクルしたペットボトルを使用するものではなかった。
【０００３】
【発明が解決しようとする課題】
上述したように、ペットボトルペレットを景観舖装に使用する技術が未だ提案されていなかったので、強度および美観が極めて優れているというペットボトル素材の特性を、景観舗装に生かすことができないという重大な問題点があり、また現在の社会状況においては、日常的に大量排出されるペットボトルの再利用方法の開発が重要な課題である。
【０００４】
そこで本出願人は、先に提案した特願２００２−１０９７９１号の発明をさらに発展させて、ペットボトルペレットと蛍光骨材または蓄光骨材を組み合わせたり、ペットボトルペレットを単独の骨材として使用することにより、強度に優れた意匠性豊かな景観舖装を施工可能とし、さらには地球環境の保全や資源の有効利用という現代社会の要請にも応え得るペットボトルペレットを使用した景観舗装構造を提供しようとするものである。
【０００５】
【課題を解決するための手段】
請求項１記載の本発明は、ペットボトルペレットと蛍光骨材を組み合わせて成る骨材に、透明な樹脂バインダーを混合して景観舗装材とするとともに、その景観舖装材を、路盤上に敷き均された舗装母体上に舖設することを特徴とするものである。
【０００６】
請求項２記載の本発明は、請求項１の構成において、使用される骨材がペットボトルペレットの単独であることを特徴とするものである。
【０００７】
請求項３記載の本発明は、請求項１または請求項２の構成において、ペットボトルペレットに顔料を添加したことを特徴とするものである。
【０００８】
請求項４記載の本発明は、請求項１の構成において、蛍光骨材を蓄光骨材としたことを特徴とするものである。
【０００９】
【発明の実施の形態】
ペットボトルペレットと蛍光骨材を組み合わせた骨材を使用する場合に、適宜な色彩の顔料を添加するようにすれば、昼間においては、ペットボトルペレットの光輝性と顔料の色彩を生かした意匠性豊かな明色舗装となっているが、夜間においては、ブラックライトに照射される蛍光骨材が螢のように淡く美しい光を発するので、昼間の景観とは全く異なる幻想的な景観が演出されるようになっている。また景観舗装の施工場所や施工目的等に応じて、蓄光骨材とペットボトルペレットを組み合わせたり、蛍光骨材や蓄光骨材を組み合わせずにペットボトルペレットのみを単独で使用したり、顔料を添加せずに施工するようにしてもよい。
【００１０】
また本発明に成る景観舗装構造は、歩道、遊歩道、公園の園路、コミニティ道路、コミニティ広場などのような公共的な道路や施設等に適用するのが好適であるが、ホテルやマンション等のような私的な建造物やその付属施設などにも適用することができ、さらには歩道や園路、駐車場等において、例えば身障者マークや矢印などのような路面表示等にも利用可能である。
【００１１】
【実施例】
以下に、本発明のペットボトルペレットを使用した景観舗装構造について詳細に説明するが、まず景観舗装材２を構成するペットボトルペレット、蛍光骨材、樹脂バインダーについてそれぞれ説明する。なお蛍光骨材（および蓄光骨材）と樹脂バインダーは、先に出願した特願２００２−１０９７９１号で使用したものとほぼ同様な素材を採用するものである。
【００１２】
ペットボトルペレットは、分別収集された圧縮ペットボトルを１本毎に分離する解梱機と、選別や分類等を行なう識別機を用いて前処理を行なった後、粉砕工程と洗浄工程を経てフレークにされ、そのフレークを溶融押出機にかけて、大きさ約２．５ｍｍのチップ状に形成されるものである。この場合に、本発明における洗浄工程は、苛性ソーダ等の薬品を一切使用せずに水のみで洗浄するようになっているので、薬品処理されたペレットに比較して透明性や光沢性、リサイクル性に優れていて、より美しい景観舗装を施工することができるとともに、廃水として排出される水の水質保全にも寄与することができる。さらにはペットボトルの素材自体に強度が備わっているので、舖装用骨材として極めて好適であり、且つ日光などの紫外線にも強く劣化し難いという特長を保有している。なお上述したようなペレットの形成方法は既に公知の技術となっているので、その詳しい説明は省略する。
【００１３】
また本発明で使用する蛍光骨材は、自然光の下では白色を呈し、ブラックライトを照射すると螢のように淡く美しい光を発するものであるが、無機蛍光顔料を特殊加工して人工的に製造されているので、天然の螢石よりもはるかに鮮明な光を発することができるものである。このような蛍光骨材の特長としては、透水性が良好なために排水能力が高く、識別性や視認性に優れており、且つ耐候性にも優れているので、その光反射能力や蛍光能力を長期間保持することが可能となっている。なお本発明で使用される蛍光骨材の発光色としては、緑、青、紫、黄色、白、赤、オレンジ、ピンクなどの多彩な色彩が採用されている。
【００１４】
さらにブラックライトを必要としない蓄光骨材を使用することも可能である。この蓄光骨材は、無機蓄光顔料を特殊加工して製造されているので、太陽光や蛍光灯の光を吸収して自ら発光するものであり、初期燐光輝度が格段に高く、残光時間も極めて長いという特性や、軽量ながら硬質且つ緻密で、屋外における耐候性にも優れているという特性がある。
【００１５】
続いて結合材としての樹脂すなわち樹脂バインダーについて説明する。本発明では、無色のエポキシ系樹脂で、好ましくは非ビスフェノール型の繊維化樹脂バインダーを用いるようにする。この樹脂バインダーは、液だれを起さないために構造物のどの部分に対しても安定した施工が可能であり、空隙率が２３％〜３５％と大きいにも関わらず骨材の飛散抵抗性および剥離抵抗性に優れるとともに、透水性コンクリートの２〜５倍の強度を実現しており、さらには環境ホルモンの溶出の心配も少ないという極めて有益な特性がある。したがってこのような樹脂を結合材として使用すれば、耐候性や耐水性に富み、且つ地球環境にも配慮した理想的な景観舖装を構築することが可能である。なお本発明で使用する樹脂は、上記した非ビスフェノール型の繊維化樹脂バインダーに限定するものではないので、その他の様々な樹脂を採用しても差し支えない。
【００１６】
次に、図１を参照して本発明の施工方法について説明する。まず分別収集されたペットボトルを、破砕・洗浄・溶融等の工程を経てペットボトルペレットに形成し、そのペットボトルペレットと別途に準備した蛍光骨材（または蓄光骨材）を適宜な配分で組み合わせ、それらに樹脂バインダーを混合、撹拌して景観舗装材２を形成する。この際に、ペットボトルペレットが無色透明であるので、昼間の景観の意匠性を高めるために色彩を施したい場合には、適宜な色調の顔料を添加するものとし、その顔料を、上記した混合、撹拌時に練り込むようにする。またこの作業は現場において手軽にミキシングすることができるので、従来のような大がかりな設備は不要である。そしてその景観舗装材２を路盤３上に舗設された舖装母体１の上面に左官ゴテを使用して１０〜２０ｍｍ程度の厚さに敷き均した後、約２４時間の養生で作業が完了する。なお必要に応じて表面に保護強化剤を塗布すると、さらに耐久性が増強されるので好適である。
【００１７】
上述した舗装方法は、ペットボトルペレットと蛍光骨材または蓄光骨材を組み合わせて骨材を成すものであるが、施工場所や施工目的等によっては蛍光骨材や蓄光骨材を使用せずに、ペットボトルペレットを単独で使用することも可能である。なおこの場合においても、必要に応じて顔料を添加してもよいことは勿論である。
【００１８】
次に、上記のような方法で施工される本発明の景観舗装の態様について、図２および図３を参照して説明する。本発明によって施工される景観舗装は、景観舗装材２を舖装母体１の上面全体に一様に舖設する場合や、図２に示すように、舗装母体１の上面の一部に舗設する場合がある。後者の場合は、図示しない市松模様状や波紋状、図３（イ）に示すような絵柄や模様等を表示するような形態で舖設されるが、身障者マーク（図３のロ）、歩道（図３のハ）、矢印（図３のニ）などのような路面表示に利用することも可能である。またペットボトルペレットと蛍光骨材を一様に混在させるのではなく、例えばペットボトルペレットを主体とする舗設部と蛍光骨材を主体とする舗設部に区分して模様等を表現したり、その模様に合わせた顔料を使用するなど、様々なバリエーションの景観を演出することが可能である。
【００１９】
【発明の効果】
本発明のペットボトルペレットを使用した景観舗装構造は、ペットボトルが保有する光輝性および透明性と、蛍光骨材が保有する幻想的な発光色を組み合わせることにより、昼間の景観と夜間の景観を別異状に演出することができるばかりでなく、美麗且つ光輝性豊かで、識別性や視認性に優れ、さらには透水性や耐候性にも優れた景観舗装を施工することができるとともに、骨材の組み合わせや顔料の色彩を工夫することにより、様々なバリエーションの景観を現出することができるという極めて有益な効果を奏するものであり、したがって本発明を公共的および私的な道路や施設に幅広く適用することができるという大きな特長を有するものである。また本発明は、リサイクルしたペットボトルを骨材として使用するとともに、環境ホルモンの溶出が少ない樹脂バインダーを使用しているので、地球環境の保全や資源の有効利用を重要課題とする社会の要請に大きく貢献することができるという顕著な長所があり、さらに本発明を実施するにあたっては、大がかりな設備を必要としないので、作業が簡単でコスト削減にも寄与することができるという産業上の利点がある。
【図面の簡単な説明】
【図１】本発明の実施方法を示すフローチャートである。
【図２】本発明に成る景観舗装の構造を示す要部拡大断面図である。
【図３】本発明の施工例を説明する要部平面図である。
【符号の説明】
１・・・舗装母体
２・・・景観舗装材
３・・・路盤
【図１】
2004052513.tif 000003
【図２】
2004052513.tif 000004
【図３】
2004052513.tif 000005